(57)【要約】【課題】シート状の補助フィルタを容易にかつ確実にグリルパネルに取り付けることができるようにしたルームエアコン室内機用補助フィルタの取付具を提供する。【解決手段】帯状の薄板部材からなり、コの字状に折り曲げ成形されてなる着脱部４２をグリルパネル２０の内面側から格子部材２６に取り付けたときに、着脱部４２の一端側から延びて形成された延伸部４４がグリルパネル２０に接触させた補助フィルタ３０を貫通するようにするとともに、補助フィルタ３０を貫通した延伸部４４はグリルパネル２０の面とほぼ平行になるまで折り曲げることができるようにする。【選択図】　　　　図５
2004036987.tif 000002
【特許請求の範囲】
【請求項１】
壁や天井等に設置された室内機と、前記室内機の空気吸込口と対向する位置に着脱或いは開閉自在に取り付けられたグリルパネルと、前記グリルパネルと前記空気吸込口との間に設けられた常設エアフィルタとを備えて構成されるルームエアコンにおいて、
前記グリルパネルの一面側に位置させたシート状の補助フィルタを前記グリルパネルに着脱自在に固定するルームエアコン室内機用補助フィルタの取付具であって、
帯状の薄板部材からなり、コの字状に折り曲げ成形されてなる着脱部を前記グリルパネルの前記補助フィルタを接触させていない面側から前記格子部材に取り付けたときに、前記着脱部の一端側から延びて形成された延伸部が前記グリルパネルに接触させた前記補助フィルタを貫通するようになっており、前記補助フィルタを貫通した前記延伸部は前記グリルパネルの面とほぼ平行になるまで折り曲げることができるようになっていることを特徴とするルームエアコン室内機用補助フィルタの取付具。
【請求項２】
壁や天井等に設置された室内機と、前記室内機の空気吸込口と対向する位置に着脱或いは開閉自在に取り付けられたグリルパネルと、前記グリルパネルと前記空気吸込口との間に設けられた常設エアフィルタとを備えて構成されるルームエアコンにおいて、
前記グリルパネルの一面側に位置させたシート状の補助フィルタを前記グリルパネルに着脱自在に固定するルームエアコン室内機用補助フィルタの取付具であって、
帯状の薄板部材からなり、コの字状に折り曲げ成形されてなる着脱部を前記グリルパネルの前記補助フィルタを接触させている面側から前記格子部材に取り付けたときに、前記着脱部の両端から延びて形成された二つの延伸部がともに前記グリルパネルに接触させた前記補助フィルタを貫通するようになっていることを特徴とするルームエアコン室内機用補助フィルタの取付具。
【請求項３】
前記延伸部の先端は、先鋭角度が１５°〜３５°である尖形形状に成形されていることを特徴とする請求項１又は２記載のルームエアコン室内機用補助フィルタの取付具。
【発明の詳細な説明】
【０００１】
【発明の属する技術分野】
本発明は、ルームエアコンの室内機に備えられているグリルパネルに取り付けることができ、常設エアフィルタに付着するごみや埃の量を減らして常設フィルタの清掃作業にかかる手間を軽減できるようにしたルームエアコン室内機用補助フィルタの取付具に関する。
【０００２】
【従来の技術】
ルームエアコンは室内に設置される室内機と室外に設置される室外機とが冷媒（通常フロンガス）を循環させるフレキシブルホースにより連結された構成となっており、室外機において放熱し、室内機において吸熱を行うときには冷房機として作用し、これとは逆に、室外機において吸熱し、室内機において放熱を行うときには暖房機として作用する。
【０００３】
このようなルームエアコンの室内機は壁や天井に掛けられ、或いは壁や天井に埋設されているものが多い。室内機を壁掛けするタイプのものでは、空気吸込口に面する位置に上下若しくは左右開閉式のグリルパネルが取り付けられるのが一般的であり、室内機を天井に埋設するタイプのものでは、空気吸込口に面する位置に平板状のグリルパネルが着脱式或いは上下開閉式に取り付けられているのが一般的である。
【０００４】
室内機の空気吸込口には、空気中の細かなごみや埃等を除去（空気を濾過）するための常設エアフィルタが装着されるが、このエアフィルタが大型である場合には清掃のための取り外しが行いにくく、特に、室内機が床から高い位置に取り付けられている場合にはその作業は大変面倒なものとなる。このように面倒な常設エアフィルタの清掃作業を軽減するためには、着脱式或いは開閉式のグリルパネルの内面側にシート状の補助フィルタを取り付けることが有効である。これにより、室内機に吸い込まれるごみや埃等を効果的に除去しつつ、常設エアフィルタの清掃頻度（着脱する頻度）を少なくすることができる。また、このような補助フィルタは使い捨てタイプとすることができるので、清掃をする必要がなく、気軽に用いることができるという利点がある。
【０００５】
【発明が解決しようとする課題】
しかしながら、補助フィルタが上記のように使い捨てタイプであって気軽に用いることができるものであり、また、常設フィルタよりはその着脱が簡単にできるとはいっても、グリルパネルへの取り付け或いは取り外しが容易なものでなければ補助フィルタの交換も常設フィルタと同様面倒に思われて交換頻度が少なくなり、結果として常設フィルタに目詰まり等を起こさせてルームエアコンの性能を低下させてしまう虞がでてくる。
【０００６】
本発明はこのような問題に鑑みてなされたものであり、シート状の補助フィルタを容易にかつ確実にグリルパネルに取り付けることができるようにしたルームエアコン室内機用補助フィルタの取付具を提供することを目的としている。
【０００７】
【課題を解決するための手段】
このような目的を達成するため、第１の本発明に係るルームエアコン室内機用補助フィルタの取付具は、壁や天井等に設置された室内機と、室内機の空気吸込口と対向する位置に着脱或いは開閉自在に取り付けられたグリルパネルと、グリルパネルと空気吸込口との間に設けられた常設エアフィルタとを備えて構成されるルームエアコンにおいて、グリルパネルの一面側に位置させたシート状の補助フィルタをグリルパネルに着脱自在に固定するルームエアコン室内機用補助フィルタの取付具であって、帯状の薄板部材からなり、コの字状に折り曲げ成形されてなる着脱部をグリルパネルの補助フィルタを接触させていない面側から格子部材に取り付けたときに、着脱部の一端側から延びて形成された延伸部がグリルパネルに接触させた補助フィルタを貫通するようになっており、補助フィルタを貫通した延伸部はグリルパネルの面とほぼ平行になるまで折り曲げることができるようになっている。
【０００８】
第１の本発明に係るルームエアコン室内機用補助フィルタの取付具は上記構成であるため、補助フィルタをグリルパネルの一面側に接触させた状態で、着脱部をグリルパネルの補助フィルタを接触させていない面側から（補助フィルタをグリルパネルの内面側に取り付ける場合にはグリルパネルの外面側から）格子部材に押し付ければ、着脱部の一端側から延びて形成された延伸部が補助フィルタを貫通するのであるが、この補助フィルタを貫通した延伸部をグリルパネルの面とほぼ平行になるまで折り曲げれば、補助フィルタはグリルパネルに固定される。このように、第１の本発明に係るルームエアコン室内機用補助フィルタの取付具によれば、シート状の補助フィルタのグリルパネルへの取り付け或いは取り外しが大変容易であり、補助フィルタの交換を気軽に行えるようになるので、補助フィルタの持つ本来の機能が十分に発揮され、常設エアフィルタの汚れを減らしてその清掃作業にかかる手間を軽減するとともに、ルームエアコンの性能低下を防ぐことができる。また、この取付具は一枚の薄板部材を折り曲げ成形して作ることができるので製造が容易であり、低コストでもある。
【０００９】
また、第２の本発明に係るルームエアコン室内機用補助フィルタの取付具は、壁や天井等に設置された室内機と、室内機の空気吸込口と対向する位置に着脱或いは開閉自在に取り付けられたグリルパネルと、グリルパネルと空気吸込口との間に設けられた常設エアフィルタとを備えて構成されるルームエアコンにおいて、グリルパネルの一面側に位置させたシート状の補助フィルタをグリルパネルに着脱自在に固定するルームエアコン室内機用補助フィルタの取付具であって、帯状の薄板部材からなり、コの字状に折り曲げ成形されてなる着脱部をグリルパネルの補助フィルタを接触させている面側から格子部材に取り付けたときに、着脱部の両端から延びて形成された二つの延伸部がともにグリルパネルに接触させた補助フィルタを貫通するようになっている。
【００１０】
第２の本発明に係るルームエアコン室内機用補助フィルタの取付具は、上記構成であるため、補助フィルタをグリルパネルの一面側に接触させた状態で、着脱部をグリルパネルの補助フィルタを接触させている面側から（補助フィルタをグリルパネルの内面側に取り付ける場合にはグリルパネルの内面側から）格子部材に押し付ければ、着脱部の両端から延びて形成された二つの延伸部が補助フィルタを貫通して補助フィルタはグリルパネルに固定される。このように、第２の本発明に係るルームエアコン室内機用補助フィルタの取付具によれば、シート状の補助フィルタのグリルパネルへの取り付け或いは取り外しが大変容易であり、第１の本発明に係るルームエアコン室内機用補助フィルタの取付具と同様の効果を得ることができる。また、一枚の薄板部材を折り曲げ成形して作ることができるので製造が容易であり、低コストである点も、上記第１の本発明に係るルームエアコン室内機用補助フィルタの取付具の場合と同様である。また、このタイプの取付具では、本取付具を格子部材に取り付ける側に補助フィルタが位置するので補助フィルタのグリルパネル上での位置決めが容易になる。また、本取付具を格子部材に押し込むだけで補助フィルタをグリルパネルに固定することができ、上述の第１の本発明に係る取付具のように、補助フィルタを貫通した延伸部を折り曲げる必要がないので、補助フィルタの取り付け作業がより楽になる。
【００１１】
なお、このタイプの取付具では、補助フィルタをグリルパネルの内面側に位置させたうえで着脱部を補助フィルタ側から格子部材に取り付けた場合には、補助フィルタを貫通した二つの延伸部の端部は居住空間側に向いてしまうが、これら両延伸部の長さを格子部材の厚さ方向の寸法以下に収めておけば、人が不用意にグリルパネルに触ったときでも安全であり、けがを防ぐことができる。
【００１２】
また、上記第１及び第２両本発明に係るルームエアコン室内機用補助フィルタの取付具においては、延伸部の先端は、先鋭角度が１５°〜３５°である尖形形状に成形されていることが好ましい。このように、補助フィルタを貫通する延伸部の先端を尖形形状にしたうえ、その先鋭角度を１５°〜３５°の範囲にしておけば、着脱部を格子部材に取り付ける（押し込む）動作により、確実に補助フィルタを貫くことができるので、補助フィルタの取り付け作業が大変容易となる。
【００１３】
【発明の実施の形態】
以下、図面を参照して本発明の好ましい実施形態について説明する。図１及び図２は本発明に係るルームエアコン室内機用補助フィルタの取付具が用いられるルームエアコンの室内機の一例を示している。このルームエアコンの室内機１は天井６０に埋め込むように設置されており、図示しない本体部を収容するケース１０は、その下面が天井６０面内に位置している。ケース１０の中央部には矩形状の空気吸込口１１が設けられており、空気吸込口１１を囲む周囲４箇所には長方形状の空気吹出口１２が空気吸込口１１の各辺に沿うように延びて設けられている。
【００１４】
室内機１のケース１０には空気吸込口１１の下方を覆う平板状のグリルパネル２０が設けられている。このグリルパネル２０はその一辺側に設けられた複数のヒンジ２１を介してケース１０と結合されており、これらヒンジ２１を中心にグリルパネル２０全体を上下に揺動させることで天井６０面に対して開閉させることができる。グリルパネル２０のヒンジ２１が設けられた一辺と対向する側の一辺にはレバーラッチ２２が複数個設けられており、ケース１０側にはこれらレバーラッチ２２に対応した複数の係止金具１３が取り付けられている。各レバーラッチ２２はフック部２２ａとレバー部２２ｂとからなっており、フック部２２ａを対応する係止金具１３に引っ掛けた状態でレバー部２２ｂを揺動させることによりフック部２２ａを係止金具１３に固定させてグリルパネル２０を閉扉状態（図２に示す状態）にすることができる。また、この状態からレバー部２２ｂを反対方向に揺動させればフック部２２ａは係止金具１３から離脱するので、グリルパネル２０を開扉状態（図１に示す状態）にすることができる。
【００１５】
図１に示すように、空気吸込口１１には矩形状の常設エアフィルタ１４が取り付けられている。この常設エアフィルタ１４は例えば不織布をシート状に成形してなり、空気吸込口１１より吸い込まれた空気中からごみや埃等を除去（すなわち空気を濾過）する。この常設エアフィルタ１４はケース１０より取り外すことが可能であり、定期的に清掃を施して繰り返し使用することができる。なお、常設エアフィルタ１４はケース１０への着脱が容易になるように、ケース１０への着脱部を有した枠部材１５によりその周囲が保持されている。
【００１６】
図２に示すように、グリルパネル２０は中央に矩形の通風口２５が形成された枠部材２４と、通風口２５に縦横に設けられた格子部材２６とから構成されている。格子部材２６はヒンジ２１の軸と直交する方向に設けられた複数の縦方向桟部材２７と、これら縦方向桟部材２７と直交する複数の横方向桟部材２８とからなっており、横方向桟部材２８はルーバーとしての役目を果たしている。
【００１７】
図３はグリルパネル２０を室内機１側から見た図であり、図４は図３における矢視ＩＶ−ＩＶより見たグリルパネル２０の断面図である。図１、図３及び図４に示すように、グリルパネル２０の室内機１と対向する面（グリルパネル２０の内面側）にはシート状の補助フィルタ３０が取り付けられる。補助フィルタ３０は例えばポリエステルやナイロンを材料とする繊維を網目状に組み上げてなり、少なくともグリルパネル２０の通風口２５の全域を覆い得る大きさを有している。この補助フィルタ３０は本来常設エアフィルタ１４において捕獲されるべきごみや埃の一部を捕獲して常設エアフィルタ１４に付着するごみ等の量を軽減させるものであるので、補助フィルタ３０におけるごみや埃の除去性能（空気の濾過性能）は常設エアフィルタ１４におけるごみや埃の除去性能よりもやや劣るものであっても構わない。
【００１８】
図１及び図３に示すように、補助フィルタ３０は、グリルパネル２０を構成する格子部材２６に着脱自在に取り付けられる複数の補助フィルタ取付具４０（第１の本発明に係るルームエアコン補助フィルタの取付具に相当）によりグリルパネル２０の内面側に取り付けられる。この実施形態では、図１或いは図３から分かるように、１４個の補助フィルタ取付具４０が７個ずつ左右対称に取り付けられているが、補助フィルタ３０を取り付けるために用いる補助フィルタ取付具４０の個数、及びその配置は全く任意である。
【００１９】
図５はこの補助フィルタ取付具４０を用いて補助フィルタ３０をグリルパネル２０へ取り付ける様子を（Ａ），（Ｂ），（Ｃ）の順に示したものである。この図５から分かるように、補助フィルタ取付具４０は帯状の薄板部材からなっており、コの字状に折り曲げられた着脱部４２をグリルパネル２０の補助フィルタ３０を接触させていない面側から（ここではグリルパネル２０の外面側から）格子部材２６（ここでは縦方向桟部材２７とする）に取り付けたときに、着脱部４２の一端側から延びて形成された延伸部４４がグリルパネル２０に接触させた補助フィルタ３０をグリルパネル２０の外面側から内面側へ貫通するようになっている。
【００２０】
補助フィルタ取付具４０の延伸部４４は補助フィルタ３０を貫通した後、図７（Ｃ）に示すように、グリルパネル２０の面とほぼ平行になるまで折り曲げられる。これにより補助フィルタ３０をグリルパネル２０へ確実に固定することができる。図６は図３における矢視ＶＩ−ＶＩより見た補助フィルタ取付具４０の断面図であり、補助フィルタ３０の中央部（周辺部以外）において使用された場合の例を示すものである。また、補助フィルタ取付具４０を補助フィルタ３０の周辺部において使用するときには、上記延伸部４４を更にグリルパネル２０の外面側へ折り曲げて、補助フィルタ３０を内側へ巻き込むようにしてもよい。図７はこのように補助フィルタ取付具４０を補助フィルタ３０の周辺部において用いた場合の例を示すものであり、図３における矢視ＶＩＩ−ＶＩＩより見た補助フィルタ取付具４０の断面図がこれに相当する。
【００２１】
このように補助フィルタ取付具４０（第１の本発明に係るルームエアコン室内用補助フィルタの取付具）によれば、シート状の補助フィルタ３０のグリルパネル２０への取り付け或いは取り外しが大変容易であり、補助フィルタ３０の交換を気軽に行えるようになるので、補助フィルタ３０の持つ本来の機能が十分に発揮され、常設エアフィルタ１４の汚れを減らしてその清掃作業にかかる手間を軽減するとともに、ルームエアコンの性能低下を防ぐことができる。また、この補助フィルタ取付具４０は一枚の薄板部材を折り曲げ成形して作ることができるので製造が容易であり、低コストでもある。
【００２２】
ここで、上記補助フィルタ３０を貫通する延伸部４４の先端は、図８（Ａ）に示すように、尖形形状に成形されていることが好ましい。また、その先鋭角度θが１５°〜３５°であると、より好ましい。このような構成であれば、補助フィルタ取付具４０の着脱部４２を格子部材２６に取り付ける（押し込む）動作により確実に補助フィルタ３０を貫くことができ、補助フィルタ３０の取り付け作業は大変容易なものとなる。なお、尖形形状は、図８（Ｂ）或いは図８（Ｃ）のような形状であってもよい。このときも、尖形形状の先鋭角度θは１５°〜３５°であることが好ましい。
【００２３】
このような構成を有するルームエアコンの室内機１では、室内（居住空間内）の空気はグリルパネル２０の通風口２５及び空気吸込口１１を介して室内機１の本体部内に取り込まれる。そして、冷房としての使用時には取り込んだ空気から熱を奪って空気吹出口１２より冷風を吹き出し、暖房としての使用時には取り込んだ空気に外気の熱を与えて温風を空気吹出口１２より吹き出すように作動する。ここで、空気吸込口１１より吸い込まれた空気中のごみや埃等は空気吸込口１１に取り付けられた常設エアフィルタ１４において除去されるのであるが、この室内機１においては上述したように、グリルパネル２０の内面側にシート状の補助フィルタ３０が取り付けられており、空気吸込口１１より吸い込まれた空気中のごみや埃等の一部は常設エアフィルタ１４に至る前に、この補助フィルタ３０において捕獲される。
【００２４】
補助フィルタ３０によりごみや埃が捕獲されて補助フィルタ３０を洗浄若しくは新しいものに交換する必要が生じた場合には、レバーラッチ２２のレバー部２２ｂを揺動させてフック部２２ａを係止金具１３よりはずし、ヒンジ２１を支点にグリルパネル２０を下方へ揺動させて開扉状態にする。そして、補助フィルタ３０に付着したごみや埃が散乱しないように補助フィルタ３０を手で押さえつつ、グリルパネル２０の縦方向桟部材２７に取り付けられた補助フィルタ取付具４０を一つずつ取り外していく。全ての補助フィルタ取付具４０を取り外したら補助フィルタ３０をグリルパネル２０より取り除き、新しい（若しくは洗浄された）補助フィルタ３０を補助フィルタ取付具４０により、上述の手順でグリルパネル２０の内面側（室内機１側）に取り付けていく。補助フィルタ３０がグリルパネル２０の内面側に取り付けられたらこれを上方へ揺動させて閉扉状態にし、レバーラッチ２２のフック部２２ａを対応する係止金具１３に引っ掛けたうえでレバー部２２ｂを揺動し、確実にロックする。これにより補助フィルタ３０の交換作業は終了する。
【００２５】
次に、第２の本発明に係るルームエアコン室内機用補助フィルタの取付具について説明する。図９は、第２の本発明に係るルームエアコン室内機用補助フィルタの取付具（以下、補助フィルタ取付具１４０とする）を示している。ここでも補助フィルタ取付具１４０が上述の室内機１に適用されされるものとする。
【００２６】
補助フィルタ取付具１４０は、図９における（Ａ），（Ｂ）の手順でグリルパネル２０の格子部材２６（ここでは縦方向桟部材２７）に取り付けられ、これによりグリルパネル３０の内面側に位置させた補助フィルタ３０をグリルパネル３０上に固定することができる。この補助フィルタ取付具１４０も上記補助フィルタ取付具４０と同様、帯状の薄板部材からなっており、コの字状に折り曲げられた着脱部１４２が格子部材２６（ここでは縦方向桟部材２７）に取り付けられるのであるが、この補助フィルタ取付具１４０では、着脱部１４２をグリルパネル２０の補助フィルタ３０を接触させている面側から（ここではグリルパネル２０の内面側から）格子部材２６に取り付ける。そして、着脱部１４２の両端から延びて形成された二つの延伸部１４４，１４６がともにグリルパネル２０に接触させた補助フィルタ３０をグリルパネル２０の内面側から外面側へ貫通することにより、補助フィルタ３０がグリルパネル２０上に固定されるようになっている。なお、このように格子部材２６に取り付けられた状態の補助フィルタ取付具１４０では、二つの延伸部１４４，１４６がその弾性力により格子部材２６を挟持しているため、補助フィルタ取付具１４０全体は格子部材２６に固定された状態となっており、格子部材２６より容易に脱落することはない。
【００２７】
このように本補助フィルタ取付具１４０によれば、シート状の補助フィルタ３０のグリルパネル２０への取り付け或いは取り外しが大変容易であるので、上述の補助フィルタ取付具４０と同様の効果を得ることができる。また、一枚の薄板部材を折り曲げ成形して作ることができるので製造が容易であり、低コストである点も、上述の補助フィルタ取付具４０の場合と同様である。また、この補助フィルタ取付具１４０では、本補助フィルタ取付具１４０を格子部材２６に取り付ける側に補助フィルタ３０が位置するので補助フィルタ３０のグリルパネル２０上での位置決めが容易である。また、格子部材２６に押し込むだけで補助フィルタ３０をグリルパネル２０に固定することができ、上述の補助フィルタ取付具４０のように、補助フィルタ３０を貫通した延伸部を折り曲げる必要がないので、取り付け作業がより楽になる。
【００２８】
また、上記補助フィルタ３０を貫通する両延伸部１４４，１４６それぞれの先端が、図８（Ａ），（Ｂ），（Ｃ）に示したように、先鋭角度が１５°〜３５°である尖形形状に成形されているのであれば、着脱部１４２を格子部材２６に取り付ける（押し込む）動作により確実に補助フィルタ３０を貫いて、補助フィルタ３０をグリルパネル２０上に固定することができるのは、上述の補助フィルタ取付具４０の場合と同様である。
【００２９】
なお、このタイプの補助フィルタ取付具１４０では、補助フィルタ３０が目立たないようにしてルームエアコンの外観を良くすることと、着脱部１４２が格子部材２６の上面側（グリルパネル２０の内面側）に位置する方が補助フィルタ取付具１４０が格子部材２６から脱落しにくいこととの理由から、補助フィルタ３０はグリルパネル２０の内面側に取り付けられるのが一般的となるが、そうすると、補助フィルタ２０を貫通した二つの延伸部１４４，１４６の端部は居住空間側に向いてしまう。しかし、これら両延伸部１４４，１４６の長さを図９に示すように、格子部材２６（ここでは縦方向桟部材２７）の厚さ方向の寸法以下に収めておけば、人が不用意にグリルパネルに触ったときでも安全であり、けがを防ぐことができる。
【００３０】
これまで本発明の好ましい実施形態について説明してきたが、本発明の範囲は上述のものに限定されない。例えば、上述の実施形態においては、グリルパネル２０の格子部材２６を構成する縦方向桟部材２７に補助フィルタ取付具４０（或いは補助フィルタ取付具１４０）を取り付けて補助フィルタ３０を固定保持していたが、これは一例であり、補助フィルタ取付具４０（或いは補助フィルタ取付具１４０）を横方向桟部材２８に取り付けて補助フィルタ３０を固定保持するようにしてもよい。
【００３１】
また、上述の実施形態では、補助フィルタ３０はグリルパネル２０の内面側に取り付けられるものとして説明したが、これはルームエアコンの外観を良くするために通常行われる取り付け方であることと、グリルパネル２０の内面側に取り付けた方が、補助フィルタ２０が自重によりグリルパネル３０に密着するからであり、必ずしもグリルパネル２０の内面側に取り付けなければならないというわけではない。したがって、補助フィルタ３０をグリルパネル２０の外面側にとりつけることも可能であり、このときはグリルパネル２０を天井６０に対して開閉或いは着脱する必要がなくなる。
【００３２】
また、上述の実施形態においては、本発明に係るルームエアコン室内機用補助フィルタの取付具（補助フィルタ取付具４０，１４０）が用いられる対象となるルームエアコンの室内機は、グリルパネルがヒンジを介して室内機のケースに対して開閉するタイプのものであったが、これは、グリルパネルが室内機のケースから完全に取り外すことができる構成のもの（着脱タイプのもの）であっても構わない。また、上述の実施形態においては、本発明に係る取付具が適用される対象となるルームエアコンの室内機は天井に埋め込むように設置される構成であったが、これは天井に吊り下げ設置される構成であってもよい。また、室内機は壁に埋め込み設置或いは壁掛け設置される構成であってもよく、これらいずれのタイプであっても本発明に係る補助フィルタの取付具による効果を得ることができる。
【００３３】
【発明の効果】
以上説明したように、第１及び第２の本発明に係るルームエアコン室内機用補助フィルタの取付具によれば、シート状の補助フィルタのグリルパネルへの取り付け或いは取り外しが大変容易であり、補助フィルタの交換を気軽に行えるようになるので、補助フィルタの持つ本来の機能が十分に発揮され、常設エアフィルタの汚れを減らしてその清掃作業にかかる手間を軽減するとともに、ルームエアコンの性能低下を防ぐことができる。また、この取付具は一枚の薄板部材を折り曲げ成形して作ることができるので製造が容易であり、低コストでもある。
【００３４】
特に、第２の本発明に係るルームエアコン室内機用補助フィルタの取付具によれば、取付具を格子部材に取り付ける側に補助フィルタが位置するので補助フィルタのグリルパネル上での位置決めが容易になる。また、本取付具を格子部材に押し込むだけで補助フィルタをグリルパネルに固定することができ、上述の第１の本発明に係る取付具のように、補助フィルタを貫通した延伸部を折り曲げる必要がないので、補助フィルタの取り付け作業がより楽になる。
【００３５】
また、上記両本発明に係るルームエアコン室内機用補助フィルタの取付具においては、補助フィルタを貫通する延伸部の先端を尖形形状にしたうえ、その先鋭角度を１５°〜３５°の範囲にしておけば、着脱部を格子部材に取り付ける（押し込む）動作により、確実に補助フィルタを貫くことができるので、補助フィルタの取り付け作業が大変容易となる。
【図面の簡単な説明】
【図１】第１の本発明に係るルームエアコン室内機用補助フィルタの取付具が適用されるルームエアコン室内機を下方より見た図であり、グリルパネルが開扉した状態を示している。
【図２】グリルパネルが閉扉した状態のルームエアコン室内機を下方より見た図である。
【図３】グリルパネルを室内機側から見た図である。
【図４】図３における矢視ＩＶ−ＩＶより見たグリルパネルの断面図である。
【図５】補助フィルタ取付具により補助フィルタをグリルパネルへ取り付ける様子を（Ａ），（Ｂ），（Ｃ）の順に示す図である。
【図６】図３における矢視ＶＩ−ＶＩより見た補助フィルタ取付具の断面図である。
【図７】図３における矢視ＶＩＩ−ＶＩＩより見た補助フィルタ取付具の断面図である。
【図８】（Ａ），（Ｂ），（Ｃ）とも、補助フィルタを貫通する延伸部の先端形状の例を示す図である。
【図９】第２の本発明に係る補助フィルタにより補助フィルタをグリルパネルへ取り付ける様子を（Ａ），（Ｂ）の順に示す図である。
【符号の説明】
１　　　室内機
１０　　ケース
１１　　空気吸込口
１２　　空気吹出口
１３　　係止金具
１４　　常設エアフィルタ
１５　　枠部材
２０　　グリルパネル
２１　　ヒンジ
２２　　レバーラッチ
２４　　枠部材
２５　　通風口
２６　　格子部材
２７　　縦方向桟部材
２８　　横方向桟部材
３０　　補助フィルタ
４０　　補助フィルタ取付具
４２　　着脱部
４４　　延伸部
６０　　天井
【図１】
2004036987.tif 000003
【図２】
2004036987.tif 000004
【図３】
2004036987.tif 000005
【図４】
2004036987.tif 000006
【図５】
2004036987.tif 000007
【図６】
2004036987.tif 000008
【図７】
2004036987.tif 000009
【図８】
2004036987.tif 000010
【図９】
2004036987.tif 000011